(57)【特許請求の範囲】
【請求項１】
第２デバイスの無線信号モジュールから第１デバイスの第１無線信号モジュールを経由して第２デバイス認識信号を受信する段階と、
前記受信された第２デバイス認識信号を介して、前記第１デバイスから第１方向に位置した前記第２デバイスを認識する段階と、
を含み、
第２デバイスを認識する前記段階は、前記第２デバイス認識信号から第２デバイス情報を抽出する段階を含み、
前記第２デバイス情報は、前記第２デバイスの無線信号モジュールと前記第１デバイスの第１無線信号モジュールとの間とは別のネットワークであってアプリケーションの実行に対するアプリケーション情報を送信するためのネットワークの、前記第２デバイスに対するネットワークアドレス情報を含む
ことを特徴とするデバイス間の認識制御方法。
【請求項２】
前記第１デバイスの第１無線信号モジュールから前記第２デバイスの無線信号モジュールを経由して第１デバイス認識信号を受信する段階と、
前記受信された前記第１デバイス認識信号を介して、前記第２デバイスから前記第１方向と対向する第２方向に位置した前記第１デバイスを認識する段階と、
をさらに含むことを特徴とする請求項１に記載のデバイス間の認識制御方法。
【請求項３】
前記第１デバイスは、前記第１デバイスの設定された位置に提供された複数の無線信号モジュールを含み、
前記複数の無線信号モジュールのうちで、他のデバイスの無線信号モジュールと対向する前記第１デバイスの前記無線モジュールを経由して、 前記他のデバイスの無線信号モジュールそれぞれに前記第１デバイス認識信号を送信する段階、
をさらに含むことを特徴とする請求項１に記載のデバイス間の認識制御方法。
【請求項４】
前記第３デバイスの無線信号モジュールから前記第１デバイスの第２無線信号モジュールを経由して第３デバイス認識信号を受信する段階と、
前記受信された第３デバイス認識信号を介して、前記第１デバイスから第２方向に位置した前記第３デバイスを認識する段階と、
をさらに含むことを特徴とする請求項１に記載のデバイス間の認識制御方法。
【請求項５】
第１デバイスを認識する前記段階は、
前記第２方向に対する情報を前記第１デバイスの位置情報としてセッティングする段階と、
前記第１デバイス認識信号から第１デバイス情報を抽出する段階と、
前記第２方向に対する情報と前記第１デバイス情報を対応させて保存する段階と、
を含むことを特徴とする請求項２に記載のデバイス間の認識制御方法。
【請求項６】
前記第１デバイス情報は、
前記第１デバイスに対する種類情報、識別情報、使用権限情報、取扱コンテンツ情報、またはネットワークアドレス情報のうちの少なくとも１つを含むことを特徴とする請求項５に記載のデバイス間の認識制御方法。
【請求項７】
第２デバイスを認識する前記段階は、
前記第１方向に対する情報を前記第２デバイスの位置情報としてセッティングする段階と、
前記第２デバイス認識信号から第２デバイス情報を抽出する前記段階と、
前記第１方向に対する情報と前記第２デバイス情報を対応させて保存する段階と、
を含むことを特徴とする請求項１に記載のデバイス間の認識制御方法。
【請求項８】
前記第２デバイス情報は、
前記第２デバイスに対する種類情報、識別情報、使用権限情報、または取扱コンテンツ情報のうちの少なくとも１つをさらに含むことを特徴とする請求項７に記載のデバイス間の認識制御方法。
【請求項９】
アプリケーションの実行と関連して、前記第１デバイスから前記第１方向に対応する入力を受信する段階と、
前記第１方向に位置するデバイスを前記第２デバイスとして決定する段階と、
前記第２デバイスに前記アプリケーションのコンピュータ動作に対するアプリケーション情報を送信することで、前記第２デバイスが前記第１デバイスから受信した前記アプリケーション情報に対応するコンピュータ動作を実行するようにする段階と、
をさらに含むことを特徴とする請求項１に記載のデバイス間の認識制御方法。
【請求項１０】
請求項１ないし９のうちのいずれか一項の方法を実行させるためのプログラムを記録したコンピュータ読み取り可能な記録媒体。
【請求項１１】
他のデバイス間において、デバイス認識信号を送受信する複数の無線信号モジュールと、
前記複数の無線信号モジュールのうちで、第２デバイスと対向する無線信号モジュールによって、前記第２デバイスから前記第２デバイスのデバイス認識信号を受信し、前記受信されたデバイス認識信号からデバイス情報を抽出するデバイス情報抽出部と、
前記第２デバイスの方向に対する情報と第２デバイスのデバイス情報を対応させて保存するデバイス情報保存部と、
を含み、
前記第２デバイスのデバイス認識信号から抽出されるデバイス情報は、前記第２デバイスが前記第２デバイスのデバイス認識信号を送信する無線信号モジュールと前記対向する無線信号モジュールとの間とは別のネットワークであってアプリケーションの実行に対するアプリケーション情報を送信するためのネットワークの、前記第２デバイスに対するネットワークアドレス情報を含む
ことを特徴とする無線通信デバイス。
【請求項１２】
（１）前記複数の無線信号モジュールは、
デバイスのデバイス認識信号を送信し、
（２）前記第２デバイスの方向に前記デバイスが移動する場合に、前記第２デバイスから前記第２デバイスのデバイス認識信号を受信する無線信号モジュールは、
前記第２デバイスに前記デバイスのデバイス認識信号を送信することを特徴とする請求項１１に記載の無線通信デバイス。
【請求項１３】
前記デバイス情報抽出部は、
前記複数の無線信号モジュールのうちで、第３デバイスと対向する無線信号モジュールによって、前記第３デバイスから前記第３デバイスのデバイス認識信号を受信し、前記受信されたデバイス認識信号からデバイス情報を抽出し、
前記デバイス情報保存部は、
前記第３デバイスの方向に対する情報と前記第３デバイスのデバイス情報を対応させて保存することを特徴とする請求項１１に記載の無線通信デバイス。
【請求項１４】
前記第２デバイス情報は、
前記第２デバイスに対する種類情報、識別情報、使用権限情報、または取扱コンテンツ情報のうちの少なくとも１つをさらに含むことを特徴とする請求項１１に記載の無線通信デバイス。
【請求項１５】
アプリケーションの実行を制御し、前記アプリケーションの実行に対応して方向情報の入力を受けるアプリケーション制御部と、
前記アプリケーション制御部から前記入力した方向情報に対応するデバイス情報の要請を受ける場合に、前記デバイス情報保存部から前記方向情報に対応するデバイス情報を抽出して前記アプリケーション制御部に応答するデバイス情報応答部と、
をさらに含むことを特徴とする請求項１１に記載の無線通信デバイス。
【請求項１６】
前記アプリケーション制御部は、前記デバイス情報応答部から受信するデバイス情報が前記第２デバイス情報である場合に、前記第２デバイス情報を用いて前記第２デバイスに前記アプリケーションの実行に対応するアプリケーション情報を送信し、前記第２デバイスは、前記アプリケーション情報に対応するコンピュータ動作を実行することを特徴とする請求項１５に記載の無線通信デバイス。
【発明の詳細な説明】
【技術分野】
【０００１】
本発明は、デバイスおよびデバイス間の認識制御方法に関し、より詳細には、デバイスが周辺の各方向に位置する他のデバイスそれぞれとデバイス認識信号を送受信しながら、各方向にどのようなデバイスが位置しているのかを認識することによって、デバイスのユーザがアプリケーションを使用する際に、各方向の方向情報を入力する動作だけで、アプリケーションが各方向に位置した他のアプリケーションで実行されるようにするデバイスおよびデバイス間の認識制御方法に関する。
【背景技術】
【０００２】
デジタル機器の機能が次第に多様化かつ複雑化しているなか、その使用方法も複雑になっている。これにより、ユーザは、このようなデジタルデバイスの多様かつ複雑な機能を単純かつ便利に使用することができる、より直観的なインターフェイスを求めている。
【０００３】
コンピュータの小型化に伴い、ユーザは、コンピュータを携帯できるようになった。これにより、オフィス内だけでなく、外部移動中にもコンピュータの使用が可能となった。また、モバイルデバイスの無線通信性能と機能の発展に伴い、既存のデスクトップでこそ可能であったネットワークを用いたコンピュータ間のコンテンツ共有がモバイルデバイスでも可能となり、頻繁に用いられるようになった。
【０００４】
モバイル環境では、周辺のコンピュータ条件が随時変更するため、ユーザが所望する周辺の他デバイスに、コンテンツを複写したり移動させるためには、各デバイス間の連結を随時設定し直さなければならないなど、複雑な設定が必要となる。これは、ソフトウェアの側面だけではなく、キーボード、マウス、ディスプレイ、プリンタなどで連結される分散型ハードウェアの構造面においても、資源を共有する際に同じような問題が生じる恐れがある。
【０００５】
これにより、モバイル環境において頻繁に発生するハードウェア資源やソフトウェア資源を共有する場合に、ユーザが各デバイス間の連結を随時設定しなくても、より一層便利に各デバイス間のハードウェア資源またはソフトウェア資源の共有を実現できるようにする技術の開発が求められている。
【発明の開示】
【発明が解決しようとする課題】
【０００６】
本発明は、前記の問題点を解決するために案出されたものであって、デバイスが１つ以上の方向を指向するように設置された無線信号モジュールを介して、各方向に位置する他のデバイスそれぞれとデバイス認識信号を送受信し、各方向に位置するデバイスの情報を認識することによって、ユーザがデバイスと他のデバイスとの間に特別なネットワーク連結を設定しなくても、デバイスが、各方向に位置したデバイスがどのようなデバイスであるのかを認識できるようにするデバイスおよびデバイス間の認識制御方法を提供することを目的とする。
【０００７】
また、本発明は、デバイスユーザが各方向のうちの第１方向に位置した第１デバイスを介してアプリケーションを実行しようとする場合に、ユーザが第１方向情報のみをデバイスに入力するという動作だけで、アプリケーションが第１デバイスを介して実行されるようにするデバイスおよびデバイス間の認識制御方法を提供することを他の目的とする。
【課題を解決するための手段】
【０００８】
前記の目的を達成するために、本発明の一実施形態に係るデバイス間の認識制御方法は、第２デバイスの無線信号モジュールから第１デバイスの第１無線信号モジュールを経由して第２デバイス認識信号を受信する段階と、前記受信された第２デバイス認識信号を介して、前記第１デバイスから第１方向に位置した前記第２デバイスを認識する段階とを含む。
【０００９】
また、本発明の一実施形態に係る無線通信デバイスは、他のデバイス間において、デバイス認識信号を送受信する複数の無線信号モジュールと、前記複数の無線信号モジュールのうちで、第２デバイスと対向する無線信号モジュールによって、前記第２デバイスから前記第２デバイスのデバイス認識信号を受信し、前記受信されたデバイス認識信号からデバイス情報を抽出するデバイス情報抽出部と、前記第２デバイスの方向に対する情報と第２デバイスのデバイス情報を対応させて保存するデバイス情報保存部とを含む。
【発明の効果】
【００１０】
本発明によれば、デバイスが１つ以上の方向を指向するように設置された無線信号モジュールを介して、各方向に位置する他のデバイスそれぞれとデバイス認識信号を送受信し、各方向に位置するデバイスの情報を認識することによって、ユーザがデバイスと他のデバイスとの間に特別にネットワーク連結を設定しなくても、デバイスが、各方向に位置したデバイスがどのようなデバイスであるのかを認識できるようにするデバイスおよびデバイス間の認識制御方法を提供できるという効果がある。
【００１１】
また、本発明によれば、デバイスのユーザがアプリケーションを各方向のうちの第１方向に位置した第１デバイスを介して実行しようとする場合に、ユーザが第１方向情報のみをデバイスに入力するという動作だけで、アプリケーションが第１デバイスを介して実行されるようにするデバイスおよびデバイス間の認識制御方法を提供できるという効果がある。
【発明を実施するための最良の形態】
【００１２】
以下、添付の図面を参照しながら、本発明の実施形態について詳しく説明する。
図１は、本発明の一実施形態に係るデバイスの構成を示したブロック図である。
本発明の一実施形態に係るデバイス１００は、第１無線信号モジュール１１１ないし第Ｎ無線信号モジュール１１２と、デバイス情報抽出部１２０と、デバイス情報保存部１３０と、デバイス情報応答部１４０と、アプリケーション制御部１５０とを含んでいる。
【００１３】
デバイス１００とは、移動通信端末機、ＰＤＡ（Ｐｅｒｓｏｎａｌ  Ｄｉｇｉｔａｌ  Ａｓｓｉｓｔａｎｔ）、パソコン、ノートパンコン、プリンタ、ＰＭＰ（Ｐｏｒｔａｂｌｅ  Ｍｅｄｉａ  Ｐｌａｙｅｒ）、ＭＰ３プレーヤ、コンソールゲーム機など、データ演算が可能な多種のデバイスを含む概念である。
【００１４】
第１無線信号モジュール１１１ないし第Ｎ無線信号モジュール１１２は、デバイス１００の外部の各面に物理的に装着することができる。さらに、デバイス情報抽出部１２０、デバイス情報保存部１３０、およびデバイス情報応答部１４０は、デバイス１００の一部ハードウェアの構成として具現されても良いし、デバイスの既存の構成にソフトウェアとして具現されても良い。アプリケーション制御部１５０は、デバイス１００の既存の構成のうち、デバイス１００の全体動作を制御するＣＰＵ（Ｃｅｎｔｒａｌ  Ｐｒｏｃｅｓｓｉｎｇ  Ｕｎｉｔ）やＭＰＵ（Ｍｉｃｒｏ  Ｐｒｏｃｅｓｓｉｎｇ  Ｕｎｉｔ）などの中央制御モジュールとして具現することができる。
【００１５】
第１無線信号モジュール１１１ないし第Ｎ無線信号モジュール１１２は、デバイス１００の各面に設置され、１つ以上の他のデバイスとデバイス認識信号をそれぞれ送受信する。これについては、図２を参照しながら詳しく説明する。
【００１６】
図２は、本発明の一実施形態に係るデバイス間のネットワーク連結を示した図である。
図２では、第１デバイス２１０が、左側に位置した第２デバイス２２０、上側に位置した第３デバイス２３０、右側に位置した第４デバイス２４０とデバイス認識信号を送受信し、各デバイス２２０ないし２４０の位置を認識する場合を例示して説明している。
【００１７】
第１デバイス２１０の左側面には第１−１無線信号モジュール２１１が設置され、上側面には第１−２無線信号モジュール２１２が設置され、右側面には第１−３無線信号モジュール２１３が設置されている。
【００１８】
また、第２デバイス２２０の右側面には第２−１無線信号モジュール２２１が設置され、下側面には第２−２無線信号モジュール２２２が設置され、左側面には第２−３無線信号モジュール２２３が設置されている。
【００１９】
また、第３デバイス２３０の下側面には第３−１無線信号モジュール２３１が設置され、左側面には第３−２無線信号モジュール２３２が設置され、右側面には第３−３無線信号モジュール２３３が設置されている。
【００２０】
さらに、第４デバイス２４０の左側面には第４−１無線信号モジュール２４１が設置され、下側面には第４−２無線信号モジュール２４２が設置され、右側面には第４−３無線信号モジュール２４３が設置されている。
【００２１】
前記したような各デバイス２１０ないし２４０は、互いに対向する方向の各面に設置された無線信号モジュールを介することで、デバイス認識信号を送受信することができる。
【００２２】
例えば、第１デバイス２１０は、第１−１無線信号モジュール２１１を介して第２デバイス２２０の第２−１無線信号モジュール２２１に第１デバイス認識信号を送信し、第２−１無線信号モジュール２２１から第２デバイス２２０の第２デバイス認識信号を受信することができる。
【００２３】
また、第１デバイス２１０は、第１−２無線信号モジュール２１２を介して第３デバイス２３０の第３−１無線信号モジュール２３１に第１デバイス認識信号を送信し、第３−１無線信号モジュール２３１から第３デバイス２３０の第３デバイス認識信号を受信することができる。
【００２４】
さらに、第１デバイス２１０は、第１−３無線信号モジュール２１３を介して第４デバイス２４０の第４−１無線信号モジュール２４１に第１デバイス認識信号を送信し、第４−１無線信号モジュール２４１から第４デバイス２４０の第４デバイス認識信号を受信することができる。
【００２５】
このように、各デバイス２１０ないし２４０は、連結を所望するデバイスを指向する面に設置された無線信号モジュールを介して互いにデバイス認識信号を送受信することで、どの方向にどのようなデバイスが位置しているのかを認識することができる。
【００２６】
もちろん、図２は、本発明の一実施例に過ぎず、当業者の判断に応じて、各デバイス２１０ないし２４０が、多様な数および多様な方向の無線信号モジュールを含むように具現することもできる。ただし、本明細書では、説明の便宜のために、図２に示された場合を参照しながら、本発明に係るデバイスおよびデバイス間の認識制御方法について説明する。
【００２７】
再び図１を参照すれば、第１無線信号モジュール１１１ないし第Ｎ無線信号モジュール１１２は、直進性が強い超短距離無線信号の送受信が可能な近距離通信モジュールを含んでいる。すなわち、デバイス認識信号が、各無線信号モジュールが指向する方向に直進的に伝播されるようにし、各無線信号モジュールそれぞれが指向する方向に位置した他のデバイスのみを認識できるようにする。このような近距離通信モジュールは、ＲＦＩＤ（Ｒａｄｉｏ  Ｆｒｅｑｕｅｎｃｙ  Ｉｄｅｎｔｉｆｉｃａｔｉｏｎ）モジュール、ＩｒＤＡ（Ｉｎｆｒａｒｅｄ  Ｄａｔａ  Ａｓｓｏｃｉａｔｉｏｎ）モジュール、Ｚｉｇｂｅｅモジュール、およびＵＷＢ（Ｕｌｔｒａ  ＷｉｄｅＢａｎｄ）モジュールのうちのいずれか１つ以上を含むことができる。
【００２８】
デバイス情報抽出部１２０は、第１無線信号モジュール１１１ないし第Ｎ無線信号モジュール１１２からそれぞれ受信したデバイス認識信号から、デバイス情報をそれぞれ抽出する。
【００２９】
例えば、図２の場合において、第１デバイス２１０の第１−１無線信号モジュール２１１を介して第２デバイス２２０の第２−１無線信号モジュール２２１から第２デバイス認識信号を受信する場合に、第１デバイス２１０のデバイス情報抽出部１２０は、第２デバイス認識信号から第２デバイス情報を抽出することができる。
【００３０】
ここで、デバイス情報は、デバイス認識信号を送信したデバイスのデバイス種類情報、識別情報、使用権限情報、およびネットワークアドレス情報のうちのいずれか１つ以上を含むように具現することができる。
【００３１】
デバイス情報保存部１３０は、抽出されたデバイス情報を、デバイス認識信号を送信したデバイスの位置情報とともに保存することができる。ここで、デバイスの位置情報は、デバイスからデバイス認識信号を受信した無線信号モジュールの位置情報として具現することができる。
【００３２】
また、無線信号モジュールの位置情報は、無線信号モジュールが指向する方向の情報として具現することができる。例えば、図２の場合において、第１デバイス２１０の第１−１無線信号モジュール２１１の位置情報は、「左」という方向情報で設定されるようになる。すなわち、第１デバイス２１０は、第２デバイス２２０の位置情報を「左」として設定することができる。
【００３３】
デバイス情報保存部１３０は、デバイス情報および無線信号モジュールの位置情報を、デバイス情報テーブルの形態で保存することができる。デバイス情報テーブルについては、図３を参照しながら詳しく説明する。
【００３４】
図３は、本発明の一実施形態に係るデバイス情報テーブルの一例を示した図である。
図３に示されたデバイス情報テーブル３００は、図２の第１デバイス２１０が第２デバイス２２０、第３デバイス２３０、および第４デバイス２４０それぞれのデバイス情報および無線信号モジュールの位置情報を保存している場合を示したものである。
【００３５】
第１デバイス２１０のデバイス情報抽出部１２０は、第１−１無線信号モジュール２１１を介して受信した第２デバイス認識信号から第２デバイス情報を抽出する。また、第１デバイス２１０のデバイス情報抽出部１２０は、第１−２無線信号モジュール２１２を介して受信した第３デバイス認識信号から第３デバイス情報を抽出する。さらに、第１デバイス２１０のデバイス情報抽出部１２０は、第１−３無線信号モジュール２１３を介して受信した第４デバイス認識信号から第４デバイス情報を抽出する。
【００３６】
デバイス情報抽出部１２０は、前記のような各デバイス情報を、各デバイス認識信号を受信したそれぞれの無線信号モジュールに対応してデバイス情報テーブル３００に記録する。例えば、第２デバイス情報は、第１−１無線信号モジュール２１１の位置情報に対応して記録し、第３デバイス情報は、第１−２無線信号モジュール２１２の位置情報に対応して記録し、第４デバイス情報は、第１−３無線信号モジュール２１３の位置情報に対応して記録することができる。
【００３７】
このような各無線信号モジュールの位置情報は、各無線信号モジュールが設置された第１デバイス２１０の面が指向する方向に基づいた指向方向情報を含んでいる。
【００３８】
例えば、第１デバイス２１０の左側面に設置されている第１−１無線信号モジュール２１１の位置情報は、「左」という指向方向情報を含んでいる。また、第１デバイス２１０の上側面に設置されている第１−２無線信号モジュール２１２の位置情報は、「上」という指向方向情報を含んでいる。さらに、第１デバイス２１０の右側面に設置されている第１−３無線信号モジュール２１３の位置情報は、「右」という指向方向情報を含んでいる。
【００３９】
デバイス情報テーブル３００に記録される各デバイス情報は、デバイスの種類情報、識別情報、使用権限情報、およびネットワークアドレス情報を含むことができる。
【００４０】
例えば、第２デバイス情報は、「プリンタ」という第２デバイス２２０の種類情報と、「三星ＰＮ１０１」という第２デバイス２２０の識別情報と、「使用可能」という第２デバイス２２０の使用権限情報と、「１９２．１６８．０．１」という第２デバイス２２０のネットワークアドレス情報とを含むことができる。さらに、第２デバイス情報は、第２デバイス２２０で実行可能なコンテンツに対するコンテンツ取扱い情報を含むことができる。
【００４１】
また、第３デバイス情報は、「ＰＣ」という第３デバイス２３０の種類情報と、「三星マジックステーションＭＶ６５」という第３デバイス２３０の識別情報と、「使用不可」という第３デバイス２３０の使用権限情報と、「１９２．１６８．０．２」という第３デバイス２３０のネットワークアドレス情報とを含むことができる。さらに、第３デバイス情報は、第３デバイス２３０で実行可能なコンテンツに対するコンテンツ取扱い情報を含むことができる。
【００４２】
さらに、第４デバイス情報は、「ノートパンコン」という第４デバイス２４０の種類情報と、「三星センスＱ４５」という第４デバイス２４０の識別情報と、「使用可能」という第４デバイス２４０の使用権限情報と、「１９２．１６８．０．３」という第４デバイス２４０のネットワークアドレス情報とを含むことができる。さらに、第４デバイス情報は、第４デバイス２４０で実行可能なコンテンツに対するコンテンツ取扱い情報を含むことができる。
【００４３】
再び図１を参照すれば、デバイス情報保存部１３０は、デバイス情報テーブルに自身のデバイス情報をさらに記録することができる。例えば、デバイス１００が三星電子（登録商標）の移動通信端末機である場合に、デバイス情報テーブルには、「移動通信端末機」というデバイス種類情報と、「三星Ａｎｙｃａｌｌ  ＳＣＨ−Ｖ９４０」という識別情報と、「使用可能」という使用権限情報と、「１９２．１６８．０．０」というネットワークアドレス情報が記録されるようになる。したがって、第１無線信号モジュール１１１ないし第Ｎ無線信号モジュール１１２は、前記のようなデバイス情報が含まれたデバイス認識信号をそれぞれの他のデバイスに送信することができる。
【００４４】
アプリケーション制御部１５０は、アプリケーションの実行を制御する。すなわち、デバイス１００が支援するアプリケーションの実行を制御することができる。アプリケーション制御部１５０は、ユーザからアプリケーションの実行に対する入力とともに、方向情報の入力を受ける。すなわち、ユーザは、アプリケーションの実行に対する入力とともに、デバイス１００の入力装置を介して特定された方向をさらに入力することができる。
【００４５】
このような場合に、アプリケーション制御部１５０は、ユーザから入力された方向情報に対応するデバイス情報をデバイス情報応答部１４０に問い合わせる。
【００４６】
デバイス情報応答部１４０は、アプリケーション制御部１５０から問い合わせを受けた方向情報に対応するデバイス情報をデバイス情報保存部１３０から検索して応答する。
【００４７】
例えば、ユーザがアプリケーションの実行に対する入力とともに方向情報「左」を入力した場合に、アプリケーション制御部１５０は、方向情報「左」に該当するデバイス情報をデバイス情報応答部１４０に問い合わせる。
【００４８】
デバイス情報応答部１４０は、デバイス情報保存部１３０のデバイス情報テーブル３００から、方向情報「左」に対応して記録された第２デバイス情報を抽出する。デバイス情報応答部１４０は、抽出された第２デバイス情報をアプリケーション制御部１５０に提供する。
【００４９】
アプリケーション制御部１５０は、第２デバイス情報を用いて、アプリケーションの実行に対するアプリケーション情報を、ＷＬＡＮやＥｔｈｅｒｎｅｔ（登録商標）などを介して第２デバイス２２０に送信する。第２デバイス２２０は、送信されたアプリケーション情報に基づいてコンピュータ動作を実行する。
【００５０】
例えば、ユーザが移動通信端末機で具現されている第１デバイス２１０にテキストファイルのプリントに対する入力とともに、第１デバイス２１０のキーパッドのうちの左側方向ボタンを入力する場合に、第１デバイス２１０は、左側方向に位置するデバイスがプリンタで具現されている第２デバイス２２０であることをデバイス情報テーブルを介して感知する。第１デバイス２１０は、デバイス情報テーブルに記録された第２デバイス情報のネットワークアドレス情報を用いて、テキストファイルを第２デバイス２２０に送信する。この結果、第２デバイス２２０は、テキストファイルを受信してプリントできるようになる。
【００５１】
また、ユーザが第１デバイス２１０に動画ファイルの再生に対する入力とともに、第１デバイス２１０のキーパッドのうちの上側方向ボタンを入力する場合に、第１デバイス２１０は、上側方向に位置するデバイスがＰＣで具現されている第３デバイス２３０であることをデバイス情報テーブルを介して感知する。第１デバイス２１０は、デバイス情報テーブルに記録された第３デバイス情報のネットワークアドレス情報を用いて、動画ファイルを第３デバイス２３０に送信する。この結果、第３デバイス２３０は、動画ファイルを受信して再生できるようになる。
【００５２】
さらに、ユーザが第１デバイス２１０にイメージファイルのディスプレイに対する入力とともに、第１デバイス２１０のキーパッドのうちの右側方向ボタンを入力する場合に、第１デバイス２１０は、右側方向に位置するデバイスがノートパンコンで具現されている第４デバイス２４０であることをデバイス情報テーブルを介して感知する。第１デバイス２１０は、デバイス情報テーブルに記録された第４デバイス情報のネットワークアドレス情報を用いて、イメージファイルを第４デバイス２４０に送信する。この結果、第４デバイス２４０は、イメージファイルを受信してディスプレイできるようになる。
【００５３】
以上で説明したように、本発明のデバイスおよびデバイス間の認識制御方法によれば、デバイスのユーザは、周辺に位置する他のデバイスとユーザデバイスとの間に別途のネットワーク連結を随時設定しなくても、特定された方向を入力するという簡単な動作だけで、周辺に位置する他のデバイスにコンテンツを送信し、このコンテンツが他のデバイスを介してディスプレイ、再生、保存、またはプリントできるようにするのである。
【００５４】
図４は、本発明の一実施形態に係るデバイス間の認識制御方法の流れを示したフローチャートである。
図４では、本発明の一実施形態に係るデバイス間の認識制御方法が、第１デバイスおよび第２デバイスの間で実行される場合を例示して説明する。
【００５５】
第１デバイスは、ユーザから周辺デバイス検索の入力を受ける（段階４１１）。第１デバイスは、第１−１無線信号モジュールないし第１−Ｎ無線信号モジュールすべてを介して、各方向に第１デバイス認識信号を送出する（段階４１２）。
【００５６】
第１デバイスのユーザは、第１デバイスを第１−１無線信号モジュールが指向する方向である第１−１方向に移動させる（段階４１３）。このような移動によって、第１デバイスは、第１−１方向に位置する第２デバイスに接近するようになる（段階４１４）。このとき、第１デバイスが第２デバイスに接近することによって、第２デバイスは、第２−１無線信号モジュールを介して、第１デバイスの第１−１無線信号モジュールを介して送出された第１デバイス認識信号を受信する（段階４１５）。第２−１無線信号モジュールは、第１−１無線信号モジュールと互いに対向する方向で第２デバイスに設置されるようになる。
【００５７】
第２デバイスは、第１デバイスの位置情報を、第１デバイス認識信号を受信した第２−１無線信号モジュールが指向する方向である第２−１方向として設定する（段階４１６）。
【００５８】
第２デバイスは、第１デバイス認識信号から第１デバイス情報を抽出し、第１デバイス情報を第２−１方向情報に対応して第２デバイス情報テーブルに保存する（段階４１７）。
【００５９】
第２デバイスは、第２−１無線信号モジュールを介して第１デバイスの第１−１無線信号モジュールに第２デバイス認識信号を送信する（段階４１８）。
【００６０】
第１デバイスは、第１−１無線信号モジュールを介して第２デバイス認識信号を受信する（段階４１９）。第１デバイスは、第２デバイスの位置情報を、第１−１無線信号モジュールが指向する方向である第１−１方向として設定する（段階４２０）。
【００６１】
第１デバイスは、第２デバイス認識信号から第２デバイス情報を抽出し、第２デバイス情報を第１−１方向情報に対応して第１デバイス情報テーブルに保存する（段階４２１）。
【００６２】
図５は、本発明の一実施形態に係るデバイス間のコンピュータ動作制御方法の流れを示したフローチャートである。
図４のように、第１デバイスおよび第２デバイスの間の認識動作が完了すれば、第１デバイスは、ユーザからアプリケーション実行の入力を受ける（段階５１１）。第１デバイスは、ユーザからアプリケーションの実行とともに、第１−１方向情報の入力をさらに受ける（段階５１２）。
【００６３】
第１デバイスは、第１デバイス情報テーブルを参照しながら、第１−１方向情報に対応するデバイスが第２デバイスであることを感知し、第１デバイステーブルから第２デバイス情報を抽出する（段階５１３）。
【００６４】
第１デバイスは、第２デバイス情報を用いて、アプリケーション実行に対するアプリケーション情報を第２デバイスに送信する（段階５１４）。
【００６５】
第２デバイスは、第１デバイスからアプリケーション情報を受信する（段階５１５）。その後、第２デバイスは、アプリケーション情報に基づいてコンピュータ動作を実行する（段階５１６）。
【００６６】
以上のように簡単に説明したが、図４および図５を参照しながら説明した本発明の一実施形態に係るデバイス間の認識制御方法およびコンピュータ動作制御方法は、図１ないし図３を参照しながら説明したデバイス間のデバイス認識制御方法およびコンピュータ動作制御方法をそれぞれ含んで具現されることは、当業者とって自明である。
【００６７】
なお、本発明に係るデバイス間の認識制御方法およびコンピュータ動作制御方法は、コンピュータにより具現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるもののような機械語コードだけでなく、インタプリタなどを用いてコンピュータによって実行される高級言語コードを含む。前記したハードウェア要素は、本発明の動作を実行するために一以上のソフトウェアモジュールとして作動するように構成することができ、その逆もできる。
【００６８】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【図面の簡単な説明】
【００６９】
【図１】本発明の一実施形態に係るデバイスの構成を示したブロック図である。
【図２】本発明の一実施形態に係るデバイス間のネットワーク連結を示した図である。
【図３】本発明の一実施形態に係るデバイス情報テーブルの一例を示した図である。
【図４】本発明の一実施形態に係るデバイス間の認識制御方法の流れを示したフローチャートである。
【図５】本発明の他の実施形態に係るデバイス間のコンピュータ動作制御方法の流れを示したフローチャートである。
【符号の説明】
【００７０】
１００  デバイス
１１１  第１無線信号モジュール
１１２  第Ｎ無線信号モジュール
１２０  デバイス情報抽出部
１３０  デバイス情報保存部
１４０  デバイス情報応答部
１５０  アプリケーション制御部
【図１】
0005383081.tif 000002
【図２】
0005383081.tif 000003
【図３】
0005383081.tif 000004
【図４】
0005383081.tif 000005
【図５】
0005383081.tif 000006